(57)【要約】【課題】外部入力電力を予め設定した外部入力電力の上限値以下に平準化できるようにする。【解決手段】外部からの電力を入力源に用いる第１電源（ＡＣ／ＤＣコンバータ）１２と蓄電池１４３の出力を入力源とする第２電源１４を備えた電源装置であり、ＤＣ内部バス１５を介して定電圧負荷（１８ａ、２０ａ）に電力を供給する定電圧負荷電力供給部（１８、２０）と、定着ヒータ２２ａに電力を供給するヒータ電力供給部２２に電力を供給する。また、ＤＣ内部バス１５の負荷電力を検出する負荷電力検出部１６と、前記第１電源１２と前記第２電源１４の出力を制御する電源制御部３０とを有する。前記電源制御部３０は、前記負荷電力検出部１６で検出された負荷電力が第１の閾値を超えた場合に、超過した電力を前記第２電力１４から前記ＤＣ内部バス１５に供給する。【選択図】図１
2015138112.tif 000002
【特許請求の範囲】
【請求項１】
外部から供給される電力を入力源に用いる定電圧出力の第１電源と蓄電池の出力を入力源とする第２電源の出力を並列に接続して、前記第１電源からの電力と前記第２電源からの電力を同時に負荷に供給する電源装置であって、
定電圧負荷に電力を供給する定電圧負荷電力供給部と、
ヒータに電力を供給するヒータ電力供給部と、
前記第１電源と前記第２電源と前記定電圧負荷電力供給部と前記ヒータ電力供給部とを接続するＤＣ内部バスと、
前記ＤＣ内部バスの負荷電力を検出する負荷電力検出部と、
前記第２電源の出力を制御する電源制御部と、を有し、
前記電源制御部は、前記負荷電力検出部で検出された負荷電力が第１の閾値を超えたときに、超過した電力を前記第２電源から前記ＤＣ内部バスに供給することを特徴とする電源装置。
【請求項２】
請求項１に記載された電源装置において、
外部から前記第１電源に入力される入力電力を検出する入力電力検出部を有し、
前記電源制御部は、前記入力電力検出部で検出された入力電力と前記第１の閾値が等しくなるように、前記第２電源の出力を制御することを特徴とする電源装置。
【請求項３】
請求項１に記載された電源装置において、
前記定電圧負荷電力供給部より最大出力電圧の小さい第２の定電圧負荷電力供給部を有し、
前記電源制御部は、該電源装置が待機状態となったときに、前記第２電源から前記第２の定電圧負荷電力供給部に電力を供給するように制御することを特徴とする電源装置。
【請求項４】
請求項１ないし３のいずれかに記載された電源装置において、
前記電源制御部は、前記負荷電力検出部で検出された負荷電力が第２の閾値より低いときに、前記第２電源を充電させるように制御することを特徴とする電源装置。
【請求項５】
請求項１ないし４のいずれかに記載された電源装置において、
前記ＤＣ内部バスの電圧を検出する電圧検出部と、
前記電圧検出部で検出された電圧が第３の閾値より低いとき、前記第２の電源を定電流制御モードから定電圧制御モードに移行させて、前記第２の電源からの定電圧出力により前記ＤＣ内部バスに電力を供給することを特徴とする電源装置。
【請求項６】
請求項５に記載された電源装置において、
前記第３の閾値を、前記定電圧負荷電力供給部と前記ヒータ電力供給部を正常に動作させるための電圧より大きく設定したことを特徴とする電源装置。
【請求項７】
請求項１ないし６のいずれかに記載された電源装置において、
前記ヒータ電力供給部は、降圧形ＤＣ／ＤＣコンバータを有することを特徴とする電源装置。
【請求項８】
請求項７に記載された電源装置において、
前記ＤＣ内部バスの電圧を、前記ヒータの印加最大電圧より高く設定することを特徴とする電源装置。
【請求項９】
請求項７に記載された電源装置において、
前記第１電源は、ＰＦＣ回路を構成し、
前記ＤＣ内部バスの電圧を、前記ＰＦＣ回路の入力電圧と昇圧比により設定することを特徴とする電源装置。
【請求項１０】
請求項１ないし９のいずれかに記載された電源装置を備えた画像形成装置。
【発明の詳細な説明】
【技術分野】
【０００１】
本発明は、電源装置及び電源装置を備えた画像形成装置に関する。
【背景技術】
【０００２】
主電源と補助電源とを切換えて機器に給電を行う電源装置が知られている。例えば、特許文献１（特開２００７−２０９１４９号公報）には、外部から供給される電力を入力源に用いる定電圧出力の第１電源と、蓄電装置および蓄電装置の電力を入力源に用いる第２電源とを備え、第１電源からの電力と第２電源からの電力の両方を同時に負荷に供給する電源装置が記載されている。
【０００３】
この電源装置では、第１電源の出力電流値に基づいて第２電源の出力を制御する。即ち、第１電源の出力電流値を検出し、それがある上限電流以下になるように第２電源から電力を供給する。それによって、定電圧負荷で使用する電力の一部を蓄電装置から供給する。この電源装置の定着用電源は、外部から供給されるＡＣ電源を入力源として、定着電力指示信号によりＡＣ電力を定着ヒータに通電させ、定着ヒータを発熱させる。
【０００４】
ところで、一般に、定着ヒータを加熱する電力の最大値は、定電圧負荷が使用する電力より大きいことが知られている。例えば、定電圧負荷で使用する電力は６００Ｗ程度であるが、定着ヒータを加熱する電力の最大値は９００Ｗに設定されている。
他方、この電源装置では、その定着用電源は、外部から供給されるＡＣ電源を入力源としている。したがって、この電源装置では、定電圧負荷よりも大きな電力を消費する定着用電源については、外部電力を平準化することはできない。
【０００５】
また、この電源装置では、蓄電池からの電力のみで定電圧負荷の電力は賄えるが、定着用電源は外部から供給されるＡＣ電源を入力源としているため、全ての電力を蓄電池からの電力で賄うことはできない。したがって、外部電源の停電時などに対応する停電バックアップ機能を十分に果たすことはできない。
【発明の概要】
【発明が解決しようとする課題】
【０００６】
本発明は、従来の電源装置における前記問題に鑑みてなされたものであって、その目的は、外部入力の電力を第１の閾値以下に平準化することである。
【課題を解決するための手段】
【０００７】
本発明は、外部から供給される電力を入力源に用いる定電圧出力の第１電源と蓄電池の出力を入力源とする第２電源の出力を並列に接続して、前記第１電源からの電力と前記第２電源からの電力を同時に負荷に供給する電源装置であって、定電圧負荷に電力を供給する定電圧負荷電力供給部と、ヒータに電力を供給するヒータ電力供給部と、前記第１電源と前記第２電源と前記定電圧負荷電力供給部と前記ヒータ電力供給部とを接続するＤＣ内部バスと、前記ＤＣ内部バスの負荷電力を検出する負荷電力検出部と、前記第２電源の出力を制御する電源制御部と、を有し、前記電源制御部は、前記負荷電力検出部で検出された負荷電力が第１の閾値を超えたときに、超過した電力を前記第２電源から前記ＤＣ内部バスに供給することを特徴とする電源装置である。
【発明の効果】
【０００８】
本発明によれば、電源装置において、外部入力の電力を第１の閾値以下に平準化することができる。
【図面の簡単な説明】
【０００９】
【図１】本発明の第１の実施形態に係る画像形成装置の電源装置のブロック図である。
【図２】図２Ａは、本画像形成装置における負荷電力の時間変化、図２Ｂは、蓄電池から供給する電力の時間変化、図２Ｃは、図２Ｂに示す蓄電池放電電力がＤＣ内部バスに供給された場合の外部入力電力の時間変化、をそれぞれ示す図である。
【図３】ＤＣ入力定着用電源のブロック図である。
【図４】縦軸に定着用電源出力を、また横軸に時間をとって、ＤＣ入力定着用電源の出力である定着ＤＣ電圧出力の時間変化を示す図である。
【図５】第２の実施形態に係る画像形成装置の電源装置のブロック図である。
【図６】第３の実施形態に係る画像形成装置の電源装置のブロック図である。
【図７】第４の実施形態に係る画像形成装置の電源装置のブロック図である。
【図８】第４の実施形態の電源装置の動作を説明する図である。
【発明を実施するための形態】
【００１０】
本発明は、定常的に外部から供給される電力を用いる電源に加えて、蓄電装置を備え、電源を使用する機器の動作に大きな電力が必要な時は、蓄電装置に貯めた電力を負荷に供給し、機器の外部入力電力が電源の供給可能な電力を超過しないようにして、商用ＡＣ電力消費を平準化する電源装置に関する。
以下、本発明をその実施形態について添付図面を参照して説明する。
【００１１】
図１は、本発明の第１の実施形態に係る画像形成装置の電源装置のブロック図である。
電源装置は、フィルタ１０を介して外部ＡＣ電源ＰＳに接続された第１電源１２と、充電回路１４１、放電回路１４２、蓄電池１４３を備えた第２電源１４、定電圧負荷（２４Ｖ系負荷１８ａ、５Ｖ系負荷２０ａ）と定着ヒータ２２ａが、また、定電圧負荷と定着ヒータ２２ａに対応して、定電圧負荷電力供給部（ＤＣ／ＤＣコンバータ（２４Ｖ出力）１８、ＤＣ／ＤＣコンバータ（５Ｖ出力）２０）とＤＣ入力定着用電源２２を備えている。
【００１２】
電源装置は、また、ＤＣ内部バス１５の負荷電力を検出する負荷電力検出部１６と、負荷電力検出部１６と、負荷電力検出部１６で検出された負荷電力値と、第２電源１４への充・放電電力指示、エンジン制御部４０からの定着制御信号に基づきＤＣ入力定着用電源２２への定着電力指示を行う電源制御部３０を備えている。
【００１３】
第１電源（ＡＣ／ＤＣコンバータ）１２は、外部から供給される電力（商用ＡＣ電源の電力）を入力源に用いて定電圧出力する。即ち、ＡＣ／ＤＣコンバータ１２には、商用ＡＣ電源入力（電力）がフィルタ１０を通して入力される。ＡＣ／ＤＣコンバータ１２は、商用ＡＣ電源入力に基づきＤＣ電圧（例えば２２０Ｖ）を出力する。ＤＣ電圧が出力されたＤＣ内部バス１５（２２０Ｖ）には、画像形成装置の定電圧負荷に電力を供給する定電圧負荷電力供給部（ＤＣ／ＤＣコンバータ（２４Ｖ出力）１８、ＤＣ／ＤＣコンバータ（５Ｖ出力）２０）と定着ヒータ２２ａに電力を供給するＤＣ入力定着用電源２２が接続されている。それぞれの電源出力には、２４Ｖ系負荷１８ａ、５Ｖ系負荷２０ａ、定着ヒータ２２ａが接続されている。
【００１４】
画像形成装置のエンジン制御部４０は、従来のものと同様に、いずれも図示しないＣＰＵ（Central Processing Unit)、画像処理を行うＩＰＰ（画像処理プロセッサ）、複写およびプリントアウトを制御するために必要なプログラムを内蔵したＲＯＭ（Read Only Memory）、その制御に必要なＲＡＭ（Random Access Memory）、及びＮＶ（Non-Volatile）−ＲＡＭを備え、画像形成の制御、即ち作像制御を主として行う。また、他の制御を行なうＣＰＵとの信号の送受信を行なうシリアルインターフェースも備えており、エンジン制御ボードに接続されたＩ／Ｏ（カウンター、ファン、ソレノイド、モータ等の入出力）を制御する。
【００１５】
エンジン制御部４０からは、定着温度を制御するための定着制御信号が電源制御部３０に入力される。電源制御部３０では、この定着制御信号に基づいてＤＣ入力定着用電源２２に定着電力指示を出力する。ＤＣ入力定着用電源２２は、後述する図３に示す構成により、定着電力指示に従って定着ヒータ２２ａに電力を供給する。
２４Ｖ系負荷１８ａ、５Ｖ系負荷２０ａ及び定着ヒータ２２ａが消費する電力（負荷電力）は、負荷電力検出部１６で検出される。なお、ＤＣ電圧出力は定電圧であるため、電力検出は電流検出で代用し、予め分かっているＤＣ電圧（定電圧）出力の電圧値を使用して電力を計算する。
【００１６】
次に、図２を用いて、本実施形態の電源装置の動作を説明する。
ここでは、蓄電池１４３からの出力により外部入力電力を平準化する方法を説明する。図２Ａは、本画像形成装置における負荷電力の時間変化を示す。
２４Ｖ系負荷１８ａと５Ｖ系負荷２０ａと定着ヒータ２２ａの電力の合算である負荷電力は、画像形成装置が待機時の場合は小さい。しかし印刷を開始する際には、定着ヒータ２２ａで、図示しない定着ローラを必要な温度に達するまで加熱するため大きな負荷電力が必要となる。
【００１７】
電源制御部３０は、複数枚の用紙に対して印刷を行う場合、定着ローラの温度を必要な温度に保持するために定着ヒータ２２ａを加熱制御し、印刷が終了すると待機時の電力に戻す。この負荷電力を全て外部入力電力で供給すると、大きな最大電力が必要となる。しかし、画像形成装置は常時印刷を継続していることは少なく、実際には、待機時の電力で印刷命令を待っている時間が長い。そのため、本実施形態では、外部入力電力の上限値（第１の閾値）を設定し、その上限値を超過した電力を蓄電池１４３からＤＣ内部バス１５に供給する。つまり、この場合は、第１電源１２からの電力と第２電源１４からの電力を同時に負荷（定電圧負荷（１８ａ、２０ａ）及び定着ヒータ２２ａ）に供給することで、外部入力電力を外部入力電力の上限値以下に平準化する。
【００１８】
図２Ｂは、蓄電池１４３から供給する電力の時間変化を示す図である。
本実施形態では、電源制御部３０が蓄電池１４３の放電回路１４２に対して放電電力を指示し、蓄電池１４３の電力をＤＣ内部バス１５に供給する。
この場合、ＤＣ内部バスに接続された蓄電池１４３と負荷電力、外部入力電力には以下の関係がある。
外部入力電力＝負荷電力−蓄電池放電電力・・・式（１）
但し、蓄電池放電電力が負荷電力を超過しないように蓄電池放電電力を指示することで、式（１）が成り立つ。そのため、蓄電池の放電電力を、
蓄電池放電電力＝負荷電力−外部入力電力の上限値・・・式（２）
となるように指示する。
【００１９】
図２Ｃは、図２Ｂに示す蓄電池放電電力がＤＣ内部バス１５に供給された場合の外部入力電力の時間変化を示す図である。
負荷電力、蓄電池放電電力、外部入力電力の関係は式（１）で示されている。式（２）の放電電力指示を行うことで、図２Ｃに示すように外部入力電力は外部入力電力の上限値以下になる。
【００２０】
図３は、ＤＣ入力定着用電源２２のブロック図である。
ＤＣ入力定着用電源２２は、本発明のヒータ電力供給部に対応するものであって、降圧形ＤＣ／ＤＣコンバータ２２１と定着電力指示／出力電圧指示変換部２２２から構成されている。降圧形ＤＣ／ＤＣコンバータ２２１は、電源制御部３０からの指示に基づき定着電力指示／出力電圧指示変換部２２２から入力される出力電圧指示を参照値として、入力されたＤＣ電圧（例えば２２０Ｖ）から出力電圧指示で指定されたＤＣ電圧を出力する。降圧形ＤＣ／ＤＣコンバータ２２１の定着ＤＣ電圧出力は、出力電圧指示が変化するとそのＤＣ電圧が変化する。
【００２１】
この定着ＤＣ電圧出力は、定着ヒータ２２ａに供給され、定着ヒータ２２ａを加熱する。定着ＤＣ電圧出力の電圧が高いほど大きな電力が定着ヒータ２２ａに供給される。つまり、定着ＤＣ電圧出力の電圧値を制御することで定着ヒータ２２ａの加熱を制御する。
【００２２】
図４は、縦軸に定着ＤＣ電圧出力を、また横軸に時間をとって、ＤＣ入力定着用電源２２の出力である定着ＤＣ電圧出力の時間変化を示す図である。
画像形成装置において、その待機時から立ち上げて印刷を行う場合、定着ヒータ２２ａに最大電圧を印加して定着ローラを必要な温度に加熱する。
ここで、定着ヒータ２２ａがハロゲンヒータの場合は、定着ヒータ２２ａが冷えている状態では定着ヒータ２２ａの抵抗が小さくなっている。したがって、その場合には、図４に示すように、初期突入電流回避のため定着ＤＣ電圧出力をランプ（傾斜）状に変化させて、突入電流を回避する手法を用いる。
【００２３】
定着ローラが必要な温度に達した後は、定着ローラにその温度を保持するために電力を供給する。図４は、ＤＣ入力定着用電源２２の出力電圧を制御することで、定着ヒータ２２ａへの供給電力を制御することを示している。
定着ヒータ２２ａの制御は、電源制御部３０からの定着電力指示（信号）により行われ、入力された定着電力指示は、定着電力指示／出力電圧指示変換部２２２で適切な出力電圧指示に変換される。降圧形ＤＣ／ＤＣコンバータ２２１への供給電力と定着ヒータ２２ａへの出力電圧の関係は、この変換時に演算してもよいし、演算結果を予めテーブルデータ化しておいてもよい。
【００２４】
なお、降圧形ＤＣ／ＤＣコンバータ２２１は一般に知られているものであり、簡易な構成で電圧変換を実現する。また、降圧形ＤＣ／ＤＣコンバータ２２１を使用して定着ヒータ２２ａに電力を供給するため、降圧形ＤＣ／ＤＣコンバータ２２１に入力されるＤＣ電圧は、定着ヒータ２２ａへの印加最大電圧より高く設定する必要がある。
【００２５】
図１に示す電源装置において、ＡＣ／ＤＣコンバータ１２は、商用ＡＣ電源ＰＳのＡＣ電圧を電力変換することにより所望の直流電力を生成する。ＡＣ／ＤＣコンバータ１２の機能は、一般に大きな電力を消費する画像形成装置の場合はＰＦＣ（Power Factor Correction：力率改善）機能を兼ねたＡＣ／ＤＣコンバータ（ＰＦＣ回路）で実現する場合もある。消費電力が小さい場合は全波整流回路で実現することも可能である。
なお、ＰＦＣ回路を用いる場合は、その入力電圧と昇圧比によりＤＣ内部バス電圧を設定する。
【００２６】
電源制御部３０は、入力された負荷電力検出部１６の値から、負荷電力検出部１６で検出された負荷電力が、予め決められた外部入力電力の上限値を超過したかどうか判定する。ここで、超過した場合は、電源制御部３０内で式（２）の演算を行い、演算結果を放電電力指示として出力する。放電電力指示は蓄電池１４３に接続された放電回路１４２に入力される。放電回路１４２は入力された放電電力指示に従い放電を行い、ＤＣ内部バス１５に蓄電池１４３の電力を供給する。
【００２７】
具体的には、放電電力に相当する電流値（電流＝放電電力指示／ＤＣ内部バス１５の電圧値）で定電流出力を行う。それによって、外部入力電力は、式（１）で示すように蓄電池放電電力分少なくなるため、外部入力電力の上限値以下となる。
なお、外部入力電力を、ある一定の電力を超えないようにするため、外部入力電力の上限値に余裕を持たせることがある。即ち、
外部入力電力の上限値＝外部入力電力が超えてはいけない電力−余裕電力・・・式（３）
この余裕電力は、負荷電力が変化している場合に、蓄電池１４３からの放電電力が遅延を持ってＤＣ内部バス１５に供給される場合に有効である。
【００２８】
図１の電源装置では、ＤＣ内部バス１５のＤＣ電圧は、ここでは２２０Ｖである。ＤＣ入力定着用電源２２は、図３に示すように、降圧形ＤＣ／ＤＣコンバータ２２１を使用しており、入力電圧であるＤＣ内部バス１５のＤＣ電圧は定着ヒータ２２ａの印加最大電圧より高いことが必要である。例えば、定格１００Ｖの定着ヒータ２２ａを使用する場合は、ＤＣ内部バス１５のＤＣ電圧は１００Ｖ以上にする必要がある。
他方、蓄電池電圧は、４８Ｖ或いは２４Ｖの電圧が多い。そのため、定着ＤＣ電圧出力との差が大きく、充電回路１４１や放電回路１４２で行うＤＣ／ＤＣコンバータの電圧変換比が大きくなり、回路の増大や変換効率の劣化を招く。そのため、ＤＣ内部バス１５のＤＣ電圧は定着ヒータ２２ａの印加最大電圧に選択する。
【００２９】
また、ＡＣ／ＤＣコンバータ１２をＰＦＣ回路とする場合には、昇圧形のＰＦＣが一般的であるため、入力されるＡＣ電源の電圧とＰＦＣの形式で決まる昇圧比から選択される電圧を使用することもできる。
なお、蓄電池１４３の充電に関しては、画像形成装置が待機状態で負荷電力検出部１６の値が、ある閾値（第２の閾値）より低い場合に電源制御部３０からの充電電力指示で充電を行うことが考えられる。また、図示されていない時計機能を電源制御部３０が持ち、電気料金が安い深夜に充電を行うよう充電電力指示を出力することも考えられる。
【００３０】
図５は、第２の実施形態に係る画像形成装置の電源装置のブロック図である。
図５の実施形態は、図１に示す第１の実施形態の電源装置において、負荷電力検出部１６を省略し、かつＡＣ／ＤＣコンバータ１２の入力電力を検出するＡＣ／ＤＣコンバータ入力電力検出部２４が、フィルタ１０に対しＡＣ／ＤＣコンバータ１２と並列に接続されている点で第１の実施形態と相違し、その他の点では同じである。そのため第１の実施形態と同じ部分には同じ番号を付して説明を省略する。
【００３１】
本実施形態では、ＡＣ／ＤＣコンバータ入力電力検出部２４で検出された入力電力が、設定した外部入力電力の上限値（第１の閾値）に等しくなるように、電源制御部３０が放電回路１４２に与える放電電力指示を制御する。
具体的には、電源制御部３０による放電電力指示を参照値として、ＡＣ／ＤＣコンバータ入力電力検出部２４で検出されたＡＣ／ＤＣコンバータ１２の入力電力と、設定した外部入力電力の上限値の差分を増幅して放電電力指示とする。これによりフィードバック制御を行う。本実施形態では図示しないが、電源制御部３０でそのフィードバック処理のための演算が行われる。
【００３２】
図６は、第３の実施形態に係る画像形成装置の電源装置のブロック図である。
図６の実施形態は、画像形成装置が印刷待ちをしている待機状態で動作が必要な５Ｖ系待機時負荷２１ａに対してのみ、蓄電池１４３から電力を供給するため、蓄電池１４３に、定電圧負荷電力供給部（ＤＣ／ＤＣコンバータ（２４Ｖ出力）１８、ＤＣ／ＤＣコンバータ（５Ｖ出力）２０）より最大出力電圧の小さい第２の定電圧負荷電力供給部の一例であるＤＣ／ＤＣコンバータ（５Ｖ出力）２１が接続されている。第３の実施形態はこの点で第１の実施形態の電源装置と相違し、その他の点では第１の実施形態と同じである。そこで、第１の実施形態の電源装置と同じ部分には同じ符号を付して説明を省略する。
【００３３】
ＤＣ／ＤＣコンバータ（５Ｖ出力）２１は、蓄電池１４３の出力電圧４８Ｖ、２４Ｖなどを５Ｖに変換し、５Ｖ系待機時負荷２１ａに電力を供給する。これにより、待機時には、ＡＣ／ＤＣコンバータ１２のブロック（ＡＣ／ＤＣコンバータ１２から給電を受けるブロック）を停止させることができ、待機時に不必要なブロックへの電力を遮断し、外部入力電力を０Ｗにできる。例えば、夜間などの待機状態に待機電力を０にすることができる。
【００３４】
図７は、第４の実施形態に係る画像形成装置の電源装置のブロック図である。
図７の実施形態では、第１の実施形態の電源装置に、ＤＣ内部バス１５の電圧を検出し、決められた電圧（第３の閾値）以下になると信号を出力する電圧検出部の一例である低電圧検出部２６と、その信号により放電回路の制御モードを変更する定電圧モード指示部２８が追加されている点で、第１の実施形態の電源装置と相違し、その他の点では同じであるので、同じ部分には同じ符号を付して説明を省略する。
【００３５】
図８は、第４の実施形態の電源装置の動作を説明する図である。
ＤＣ内部バス１５の電圧はＡＣ／ＤＣコンバータ１２の出力電圧で決まる。通常は、ＡＣ／ＤＣコンバータ１２の出力電圧に設定された定格出力電圧（ここでは、ＤＣ電圧２２０Ｖ）が出力される。そのため、外部ＡＣ電源ＰＳで停電が発生すると、ＡＣ／ＤＣコンバータ１２の出力電圧が低くなる。出力電圧の低下はＡＣ／ＤＣコンバータ１２の出力コンデンサの容量と負荷電力で決まるが、短い時間内で大きく低下し、２４Ｖを出力するＤＣ／ＤＣコンバータ１８、５Ｖを出力するＤＣ／ＤＣコンバータ２０、定着ヒータ２２ａを駆動するＤＣ入力定着用電源２０が正常動作する入力電圧範囲を下回る。
【００３６】
本実施形態では、ここで、決められた電圧（第３の閾値）である低電圧検出値（ここでは２１０Ｖ）を下回ると、低電圧検出部２６が検出信号を出す。この検出信号は放電回路の制御モードを変更する定電圧モード指示部２８に入力される。定電圧モード指示部２８は、正常時は放電回路１４２の動作モードを定電流出力として設定し、指定された放電電力指示に従って定電流制御でＤＣ内部バス１５に放電出力する。
しかし、低電圧検出部２６の検出信号が入力されると、定電圧モード指示部２８は放電回路１４２に定電圧モード指示信号を出力する。放電回路１４２は、この信号を受けると定電流制御モードから定電圧制御モードに移行し、予め決められた定電圧（定電圧モード出力；ここでは２０５Ｖ）を維持するよう放電出力する。これにより停電時でもＤＣ内部バス１５は一定の電圧（２０５Ｖ）が蓄電池１４３から供給され、停電時のバックアップ動作が可能となる。
【００３７】
なお、低電圧検出値は定電圧モード出力電圧より大きく設定する必要がある。また、定電圧モード出力電圧は、ＤＣ内部バス１５に接続されている２４Ｖを出力するＤＣ／ＤＣコンバータ１８、５Ｖを出力するＤＣ／ＤＣコンバータ２０、定着ヒータ２２ａを駆動するＤＣ入力定着用電源２２の正常に動作する入力電圧範囲より高い値に設定する必要がある。
【００３８】
以上、本実施形態により、待機状態で動作が必要な５Ｖ系待機時負荷２１ａに、蓄電池１４３から電力を供給することで、待機状態に待機電力を０にすることが可能となる。また、停電時でもＤＣ内部バス１５には一定の電圧が蓄電池１４３から供給され、停電時のバックアップ動作が可能となる。
【符号の説明】
【００３９】
１０・・・フィルタ、１２・・・第１電源（ＡＣ／ＤＣコンバータ）、１４・・・第２電源、１４１・・・充電回路、１４２・・・放電回路、１４３・・・蓄電池、１５・・・ＤＣ内部バス、１６・・・負荷電力検出部、１８・・・ＤＣ／ＤＣコンバータ（２４Ｖ出力）、１８ａ・・・２４Ｖ系負荷、２０・・・ＤＣ／ＤＣコンバータ（５Ｖ出力）、２０ａ・・・５Ｖ系負荷、２２・・・ＤＣ入力定着用電源、２２ａ・・・定着ヒータ、２２１・・・降圧形ＤＣ／ＤＣコンバータ、２２２・・・定着電力指示／出力電圧指示変換部、２４・・・ＡＣ／ＤＣコンバータ入力電力検出部、２６・・・低電圧検出部、２８・・・定電圧モード指示部、３０・・・電源制御部、４０・・・エンジン制御部。
【先行技術文献】
【特許文献】
【００４０】
【特許文献１】特開２００７−２０９１４９号公報
【図１】
2015138112.tif 000003
【図２】
2015138112.tif 000004
【図３】
2015138112.tif 000005
【図４】
2015138112.tif 000006
【図５】
2015138112.tif 000007
【図６】
2015138112.tif 000008
【図７】
2015138112.tif 000009
【図８】
2015138112.tif 000010